(57)【要約】【課題】簡単に開封して展示状態とすることができ、材料の使用面積も抑制できる包装展示兼用箱を提供する。【解決手段】底面板２から前受板１、対向する底側板６及び後面板３が起立し、前受板１と底側板６とが連結片１０で連結され、後面板３から後側板７が前方へ折り曲げられ、底側板６と後側板７とが接着されて、トレイ部分２１が形成され、後面板３から天面板４が前方へ、天面板４から前面板５が下方へ順次折り曲げられて、蓋部分２２が形成され、前受板１と前面板５のこれに重なる部分とが、前受板１の切取部１１の領域内で接着されたものとする。展示に際しては、後面板３と天面板４の境界の両端へ向かう切目線１２ａを切断し、切取部１１を前面板５に貼り付いた状態で前受板１から切り取ることにより、トレイ部分２１と蓋部分２２とに分離する。【選択図】図３
2015107831.tif 000002
【特許請求の範囲】
【請求項１】
商品を包み込む前受板(1)、底面板(2)、後面板(3)、天面板(4)及び前面板(5)が順次連設されると共に、底面板(2)及び後面板(3)の両側にそれぞれ底側板(6)及び後側板(7)が連設され、前受板(1)に切目線(11a)が入られて、その内側に切取部(11)が設けられ、後面板(3)と天面板(4)の境界の両端へ向かう切目線(12a)が入れられ、前受板(1)、底面板(2)、後面板(3)、底側板(6)及び後側板(7)がトレイ部分(21)の構成要素となり、天面板(4)及び前面板(5)が蓋部分(22)の構成要素となり、
包装状態では、底面板(2)から前受板(1)、対向する底側板(6)及び後面板(3)が起立し、前受板(1)と底側板(6)とは、その一方から延びる連結片(10)が他方へ接着されることにより連結され、後面板(3)から後側板(7)が前方へ折り曲げられ、底側板(6)と後側板(7)とが接着されて、トレイ部分(21)が形成され、後面板(3)から天面板(4)が前方へ、天面板(4)から前面板(5)が下方へ順次折り曲げられて、蓋部分(22)が形成され、前受板(1)と前面板(5)のこれに重なる部分とは、前受板(1)の切取部(11)の領域内で接着され、
展示に際しては、後面板(3)と天面板(4)の境界の両端へ向かう切目線(12a)を切断し、切取部(11)を切目線(11a)の切断に伴い前面板(5)に貼り付いた状態で前受板(1)から切り取ることにより、トレイ部分(21)と蓋部分(22)とに分離される包装展示兼用箱。
【請求項２】
請求項１に記載の包装展示兼用箱において、天面板(4)の両側に蓋部分(22)の構成要素となる天側板(8)が連設され、包装状態では、天面板(4)から天側板(8)が下方へ折り曲げられて、天側板(8)が折曲状態に保持されるが、後側板(7)と天側板(8)とは接着されていないことを特徴とする包装展示兼用箱。
【請求項３】
請求項１に記載の包装展示兼用箱において、前面板(5)の両側に蓋部分(22)の構成要素となる前側板(9)が連設され、包装状態では、前面板(5)から前側板(9)が後方へ折り曲げられ、前側板(9)と天側板(8)とが接着されていることを特徴とする包装展示兼用箱。
【請求項４】
請求項１乃至３のいずれかに記載の包装展示兼用箱を包装状態に組み立てる包装装置であって、供給された包装展示兼用箱のブランクの底面板(2)に対して後面板(3)及び底側板(6)を折り曲げると共に、後面板(3)から後側板(7)を折り曲げ、底側板(6)と後側板(7)とを接着した状態で、トレイ部分(21)に商品を収納し、蓋部分(22)をトレイ部分(21)に被せて形成し、前受板(1)と前面板(5)のこれに重なる部分とを、前受板(1)の切取部(11)の領域内で接着することを特徴とする包装装置。
【請求項５】
請求項４に記載の包装装置において、包装展示兼用箱が後面板(3)を底側として横倒しにされた状態で、上向きとなって開放された前面側から商品を後面板(3)の内面に順次積み上げるようにトレイ部分(21)に収納し、その後、底面板(2)から前受板(1)を折り曲げ、天面板(4)から前面板(5)を折り曲げて、前受板(1)と前面板(5)とを接着することを特徴とする包装装置。
【請求項６】
請求項４又は５に記載の包装装置において、後面板(3)から後側板(7)を折り曲げた後、後面板(3)から天面板(4)を折り曲げ、天側板(8)を後側板(7)に重なる方向へ一旦折り曲げた状態で、トレイ部分(21)に商品を収納し、その後、前面板(5)を前受板(1)の方向へ折り曲げると共に、天側板(8)を後側板(7)から一旦引き離し、その状態で、前側板(9)を折り曲げ、その後、天側板(8)を後側板(7)及び前側板(9)の外面に重なるように折り曲げて、前側板(9)と天側板(8)とを接着することを特徴とする包装装置。
【発明の詳細な説明】
【技術分野】
【０００１】
この発明は、商品の包装及び展示に兼用される包装展示兼用箱及びその包装装置に関するものである。
【背景技術】
【０００２】
従来、下記特許文献１には、図２０に示すように、商品を収容するトレイ体５１と、これに外側から被せる蓋体５２とから成る包装展示兼用箱が記載されている。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【先行技術文献】
【特許文献】
【０００７】
【特許文献１】特開２０１２−３０８９２号公報
【発明の概要】
【発明が解決しようとする課題】
【０００８】
しかしながら、上記のような包装展示兼用箱では、店頭で開封して展示状態とする際、前面壁５４，５８の切取部６１，６２を切り取り、次いで、後面壁５５の切取部６３を切り取る２段階の工程が必要となり、作業に手間がかかるという問題がある。
【０００９】
また、トレイ体５１と蓋体５２の重なり合う部分が大きいため、材料である用紙の使用面積が大きくなり、製造コストがかかるという問題がある。
【００１０】
そこで、この発明は、簡単に開封して展示状態とすることができ、材料の使用面積も抑制できる包装展示兼用箱及びその包装装置を提供することを課題とする。
【課題を解決するための手段】
【００１１】
上記のような課題を解決するため、この発明に係る包装展示兼用箱は、商品を包み込む前受板、底面板、後面板、天面板及び前面板が順次連設されると共に、底面板及び後面板の両側にそれぞれ底側板及び後側板が連設され、前受板に切目線が入られて、その内側に切取部が設けられ、後面板と天面板の境界の両端へ向かう切目線が入れられ、前受板、底面板、後面板、底側板及び後側板がトレイ部分の構成要素となり、天面板及び前面板が蓋部分の構成要素となるものとしたのである。
【００１２】
そして、包装状態では、底面板から前受板、対向する底側板及び後面板が起立し、前受板と底側板とは、その一方から延びる連結片が他方へ接着されることにより連結され、後面板から後側板が前方へ折り曲げられ、底側板と後側板とが接着されて、トレイ部分が形成され、後面板から天面板が前方へ、天面板から前面板が下方へ順次折り曲げられて、蓋部分が形成され、前受板と前面板のこれに重なる部分とは、前受板の切取部の領域内で接着されるものとしたのである。
【００１３】
また、展示に際しては、後面板と天面板の境界の両端へ向かう切目線を切断し、切取部を切目線の切断に伴い前面板に貼り付いた状態で前受板から切り取ることにより、トレイ部分と蓋部分とに分離されるようにしたのである。
【００１４】
また、上記包装展示兼用箱において、天面板の両側に蓋部分の構成要素となる天側板が連設され、包装状態では、天面板から天側板が下方へ折り曲げられて、天側板が折曲状態に保持されるが、後側板と天側板とは接着されていないものとしたのである。
【００１５】
さらに、上記包装展示兼用箱において、前面板の両側に蓋部分の構成要素となる前側板が連設され、包装状態では、前面板から前側板が後方へ折り曲げられ、前側板と天側板とが接着されているものとしたのである。
【００１６】
上記のような包装展示兼用箱を包装状態に自動的に組み立てるには、供給された包装展示兼用箱のブランクの底面板に対して後面板及び底側板を折り曲げると共に、後面板から後側板を折り曲げ、底側板と後側板とを接着した状態で、トレイ部分に商品を収納し、蓋部分をトレイ部分に被せて形成し、前受板と前面板のこれに重なる部分とを、前受板の切取部の領域内で接着する包装装置を使用すればよい。
【００１７】
また、このような包装装置において、食品パウチのような商品を包装するものでは、包装展示兼用箱が後面板を底側として横倒しにされた状態で、上向きとなって開放された前面側から商品を後面板の内面に順次積み上げるようにトレイ部分に収納し、その後、底面板から前受板を折り曲げ、天面板から前面板を折り曲げて、前受板と前面板とを接着する構成を採用すればよい。
【００１８】
さらに、このような包装装置において、後面板から後側板を折り曲げた後、後面板から天面板を折り曲げ、天側板を後側板に重なる方向へ一旦折り曲げた状態で、トレイ部分に商品を収納し、その後、前面板を前受板の方向へ折り曲げると共に、天側板を後側板から一旦引き離し、その状態で、前側板を折り曲げ、その後、天側板を後側板及び前側板の外面に重なるように折り曲げて、前側板と天側板とを接着するようにし、天面板を後側板及び前側板の端縁で受け止めて、流通過程での積み上げ荷重等による天面板の落ち込みを防止するようにしてもよい。
【発明の効果】
【００１９】
この発明に係る包装展示兼用箱では、１ピースのブランクからトレイ部分と蓋部分とを構成し、包装状態では、これらの部分を、基本的に前受板の切取部の領域内と前面板とを接着することによってのみ固定するので、蓋部分を引っ張って、後面板と天面板の境界の両端へ向かう切目線を切断し、切取部を前面板に貼り付いた状態で切り取るだけで開封することができる。
【００２０】
また、トレイ部分と蓋部分との重なり合う部分を、前面及び側面の一部だけとして、材料の使用面積を抑制することができるほか、簡単な包装構造であることから、封緘機等の包装装置への適用性に優れ、効率よく封緘することができる。
【００２１】
そして、展示状態では、切断縁が目立たないので、美粧性に優れた展示ができ、トレイ部分の前受板により商品の前方へのこぼれ出しを防止すると共に、商品を後面板に凭れさせて展示することができる。
【００２２】
さらに、このような包装展示兼用箱は、包装装置によって組み立てつつ、商品を包装することができるので、商品の包装作業を正確かつ高速に行うことができ、流通の効率化を図ることができる。
【図面の簡単な説明】
【００２３】
【図１】この発明の第１実施形態に係る包装展示兼用箱のブランクを示す図
【図２】同上の包装展示兼用箱の包装状態を示す斜視図
【図３】同上の展示状態への変換過程を示す斜視図
【図４】同上のトレイ部分の展示状態を示す斜視図
【図５】同上の蓋部分の折畳状態を示す斜視図
【図６】この発明の第２実施形態に係る包装展示兼用箱の包装状態を示す斜視図
【図７】この発明の第３実施形態に係る包装展示兼用箱の包装状態を示す斜視図
【図８】この発明の第４実施形態に係る包装展示兼用箱の包装状態を示す斜視図
【図９】同上の展示状態への変換過程を示す斜視図
【図１０】この発明の第５実施形態に係る包装展示兼用箱の包装状態を示す斜視図
【図１１】同上の天面だけを開口させた状態を示す斜視図
【図１２】同上のトレイ部分の展示状態を示す斜視図
【図１３】この発明の第６実施形態に係る包装展示兼用箱のブランクを示す図
【図１４】同上の包装展示兼用箱の包装状態を示す斜視図
【図１５】同上の展示状態への変換過程を示す斜視図
【図１６】同上のトレイ部分の展示状態を示す斜視図
【図１７】この発明に係る包装装置の上流工程部分を示す概略斜視図
【図１８】同上の中間工程部分を示す概略斜視図
【図１９】同上の下流工程部分を示す概略斜視図
【図２０】従来の包装展示兼用箱の包装状態を示す斜視図
【発明を実施するための形態】
【００２４】
まず、この発明の第１実施形態を図１〜図４に基づいて説明する。
【００２５】
この包装展示兼用箱は、高さが奥行より大きい深型のものであり、図１に示す段ボールのブランクから組み立てられる。このブランクでは、前受板１、底面板２、後面板３、天面板４及び前面板５が段ボールの段目方向に順次連設され、底面板２、後面板３、天面板４及び前面板５の両側に、それぞれ底側板６、後側板７及び天側板８及び前側板９が連設され、底側板６の前受板１側の側端に連結片１０が連結されている。
【００２６】
前受板１には、先端側からミシン目状の切目線１１ａを入れて、逆台形状の切取部１１が設けられている。後面板３と天面板４の境界には、その両端へ向かうミシン目状の切目線１２ａが入れられ、切目線１２ａは、中間部分が後面板３内へ屈曲して、その内側領域に逆台形状の押込部１２が設けられている。
【００２７】
天側板８には、天面板４と前面板５との境界側の角部から先端中間部へかけて、斜め方向に折目線８ａが入れられている。折目線８ａは、段ボールの表面側が窪む谷折り方向へ容易に折り曲げられるように、Ｙ字状の切目が断続するものとされている。なお、折目線８ａは、押罫と切目が交互に断続するリード罫のようなものとしてもよい。
【００２８】
そして、このブランクにおいて、前受板１、底面板２、後面板３、底側板６、後側板７及び連結片１０はトレイ部分２１を構成し、天面板４、前面板５、天側板８及び前側板９は蓋部分２２を構成する。
【００２９】
トレイ部分２１の組立時にホットメルト接着剤で接着する位置は、前受板１及び連結片１０の接着部１３と、底側板６の後部及び後側板７の下部の接着部１４とされ、蓋部分２２の組立時にホットメルト接着剤で接着する位置は、天側板８の折目線８ａより前部及び前側板９の上部の接着部１５とされている。
【００３０】
また、トレイ部分２１と蓋部分２２とを接合するためホットメルト接着剤で接着する位置は、図中において網掛表示した前受板１の切取部１１の領域内及び前面板５の下部の接着部１６とされている。
【００３１】
そのほか、重量物を包装する場合には、開封性に影響を与えることなく、トレイ部分２１と蓋部分２２との接合強度を高めるため、底側板６の前部に広くニスを塗布して接着弱化部１７ａ（図中の斜線部）を設けておき、その上の点状部と前側板９の下部の点状部とを、ホットメルト接着剤で接着する接着部１７とする。
【００３２】
このようなブランクを組み立てて配送する商品を包装する際には、図２に示すように、底面板２から前受板１、一対の底側板６及び後面板３を起立させ、連結片１０を前受板１の内面に沿って折り曲げ、接着部１３で接着することにより、前受板１と底側板６とを連結し、後側板７を前方へ折り曲げ、底側板６と後側板７とを接着部１４で接着する。
【００３３】
次に、後面板３から天面板４を前方へ、天面板４から前面板５を下方へ順次折り曲げ、前面板５から前側板９を後方へ折り曲げ、天面板４から天側板８を下方へ折り曲げて、前側板９と天側板８とを接着部１５で接着することにより、天側板８の折曲状態を保持するが、後側板７と天側板８とは接着せず、前受板１と前面板５のこれに重なる部分とを、前受板１の切取部１１の領域内の接着部１６で接着することにより、封緘状態とする。
【００３４】
また、商品が重量物である場合には、必要に応じて、底側板６と前側板９とを接着弱化部１７ａを介して接着部１７で接着する。
【００３５】
一方、店頭での商品の展示に際しては、図３に示すように、後面上部の押込部１２を押し込んで指を入れ、天面板４の後部を手前に引くことにより、切目線１２ａを切断し、切取部１１を、切目線１１ａの切断に伴い、前面板５に貼り付いた状態で前受板１から切り取ることにより、トレイ部分２１と蓋部分２２とに分離し、開封状態とする。
【００３６】
このとき、接着部１７は、ニスを塗布した接着弱化部１７ａの作用により、ホットメルト接着剤の接着力が弱められているため、簡単に剥がすことができる。
【００３７】
そして、図４に示すように、トレイ部分２１から蓋部分２２を除去し、トレイ部分２１に収容された商品Ｇが露出した展示状態とする。この展示状態では、トレイ部分２１の切断縁が目立たないので、美粧性に優れ、前受板１により商品Ｇの前方へのこぼれ出しを防止でき、商品Ｇを後面板３に凭れさせて安定した状態で展示することができる。
【００３８】
さらに、図５に示すように、トレイ部分２１から分離した蓋部分２２は、天側板８を折目線８ａに沿って折り曲げることにより、偏平に折り畳むことができるので、嵩張らない状態で再生可能ごみとして廃棄することができる。
【００３９】
このように、上記包装展示兼用箱では、１ピースのブランクからトレイ部分２１と蓋部分２２とを構成し、包装状態では、これらの部分を、基本的に前受板１の切取部１１の領域内と前面板５とを接着部１６で接着することによってのみ固定するので、後面板３と天面板４の境界の両端へ向かう切目線１２ａを切断し、蓋部分２２を手前に引くだけで、切取部１１が切り取られて開封することができる。
【００４０】
また、トレイ部分２１と蓋部分２２との重なり合う部分を、前面及び側面の一部だけとして、材料の使用面積を抑制することができるほか、簡単な包装構造であることから、封緘機等の包装装置への適用性に優れ、効率よく封緘することができる。
【００４１】
次に、この発明の第２実施形態を図６に基づいて説明する。
【００４２】
この包装展示兼用箱では、連結片１０が前受板１の両側端に連設されており、包装状態への組み立てに際し、前受板１から連結片１０を後方へ折り曲げて、接着部１３で底側板６に接着することにより、前受板１と底側板６とを連結する。他の構成及び機能は、上記実施形態と同様である。
【００４３】
次に、この発明の第３実施形態を図７に基づいて説明する。
【００４４】
この包装展示兼用箱では、切目線１２ａの中間部分が天面板４内へ屈曲して、その内側領域に逆台形状の押込部１２が設けられており、商品の展示に際しては、天面後部の押込部１２を押し込んで、その抜出穴に指を入れ、天面板４を手前に引くことにより、切目線１２ａを切断する。他の構成及び機能は、上記実施形態と同様である。
【００４５】
次に、この発明の第４実施形態を図８及び図９に基づいて説明する。
【００４６】
この包装展示兼用箱では、図８に示すように、天面板４に、押込部１２の両端部付近から前部へ延びる２本の山折線４ａと、両側の前後方向中間部から山折線４ａの前部へ斜めに延びる谷折線４ｂとが入れられている。
【００４７】
このように山折線４ａと谷折線４ｂとを入れておくと、図９に示すように、展示状態に変換する際、押込部１２を押し込んで天面板４を引き上げると、天面板４が山折線４ａ及び谷折線４ｂに沿って盛り上がるように撓むので、切目線１２ａの繋部に大きな引張力が作用し、切目線１２ａを容易に切断して開封することができる。
【００４８】
次に、この発明の第５実施形態を図１０〜図１２に基づいて説明する。
【００４９】
この包装展示兼用箱は、集積した複数本の飲料ボトルを立てた状態で収納するものであり、図１０に示すように、天面板４に、半円弧状の切目線により中央部に押込部４ｃを形成し、押込部４ｃから両側へ向かう切目線４ｄと、その外端から前部及び後部へ向かう切目線４ｅとを入れ、切目線４ｅの終端間に段ボールの表面側から押圧して谷折線４ｆを入れたものとされている。なお、切目線４ｅの終端部を曲げておくと、後述する切断時に谷折線４ｆの位置を超えて天面板４が破断する現象を防止できる。
【００５０】
このような包装展示兼用箱から商品Ｇである飲料ボトルを取り出す際には、図１１に示すように、押込部４ｃを押し込んで、天面板４の押込部４ｃに臨む部分を引き上げることにより、切目線４ｄ，４ｅを切断し、谷折線４ｆをヒンジとして、切目線４ｄ，４ｅ及び谷折線４ｆで囲まれた扉部を開き、天面だけを開口させた状態とし、商品Ｇを必要な本数だけ取り出すことができ、その後、天面板４の扉部を閉じておくこともできる。
【００５１】
また、店頭で商品を展示する際には、上記実施形態と同様、蓋部分２２を除去し、図１２に示すように、トレイ部分２１から商品Ｇが露出した展示状態とすることもできる。
【００５２】
次に、この発明の第６実施形態を図１３〜図１６に基づいて説明する。
【００５３】
この包装展示兼用箱は、高さよりも奥行が大きい浅型のものであり、図１３のブランクに示すように、天側板８の下端に差込突起８ｂが設けられており、包装に際しては、図１４に示すように、前受板１から延びて底側板６の内面に重なる連結片１０と、底側板６の内面に重なる後側板７との間の部分で、差込突起８ｂを底側板６の内面に沿わせて差し込むことにより、天側板８の捲れ上がりを防止する。
【００５４】
また、展示状態への転換に際し、図１５に示すように、前面板５の下端を引き上げることにより、切取部１１を、切目線１１ａの切断に伴い前面板５に貼り付いた状態で、前受板１から切り取る。
【００５５】
そして、手前を持ち上げた状態の蓋部分２２を捻って、後面板３と天面板４の境界に全長に亘って沿った切目線１２ａを切断することにより、トレイ部分２１と蓋部分２２とに分離し、蓋部分２２を除去して、図１６に示すような展示状態とする。
【００５６】
このような浅型の包装展示兼用箱では、前側板９と天側板８との接着部１５での接着を省略してもよく、前側板９自体を省略してもよい。また、天側板８を省略し、底側板６が天面まで達するようにしてもよい。
【００５７】
なお、上記各実施形態では、切取部１１を、前受板１の上端縁中央部に臨んで１個設けたものを例示したが、切取部１１は、前受板１の内部に設けてもよく、複数個設けてもよい。また、切取部１１の形状は、台形状のほか、楕円形状等、他の形状としてもよい。
【００５８】
また、ホットメルト接着剤を使用して各部を接着し、包装状態に組み立てる場合を例示したが、ホットメルト接着剤に換えて、他の接着剤や粘着テープを使用して組み立てるようにしてもよい。
【００５９】
また、材料として段ボールを使用したものを例示したが、段ボールに換えて、板紙等の他のシート材を材料として使用してもよい。
【００６０】
次に、上記第１実施形態や第４実施形態に示すような深型の包装展示兼用箱に、食品パウチを収納して包装する包装装置の概要を図１７〜図１９に基づいて説明する。
【００６１】
この包装装置では、図１７（Ｉ）に示すように、マガジンから伏せた状態でブランクが供給され、同図（II）に示すように、底面板２が後面板３に対して起立方向へ折り曲げられ、底面板２から底側板６が折り曲げられて、底側板６の接着部１４に接着剤ノズルａ１からホットメルト接着剤が吹き付けられる。そして、後側板７の折り曲げに伴い、底側板６と後側板７とが圧着されて、トレイ部分２１が途中まで形成される。
【００６２】
次に、同図（III）に示すように、後面板３が底面板２へ向けて低くなるように傾けられ、後側板７の両側方から保持具ｂに保持された状態で、以下に続く工程へ搬送される。そして、同図（IV）に示すように、後面板３から天面板４が途中まで起こされると共に、前面板５が底面板２とは反対側へ折り曲げられる。また、天面板４から天側板８が後側板７に重なる方向へ一旦折り曲げられ、天側板８に折癖が付与されると共に、天側板８により後側板７の後面板３からの起立状態の安定化が図られる。
【００６３】
次に、同図（Ｖ）に示すように、連結片１０が少し外側へ折り曲げられ、同図（VI）に示すように、食品パウチである商品Ｇが平らな面を上下に向けた状態で、マニピュレータ等により、後面板３の内面上に順次落とし込まれるようにトレイ部分２１に挿入されて積み上げられる。
【００６４】
このとき、天面板４は、上方が底面板２から離れるように傾斜し、連結片１０は、少し外側へ折り曲げられているので、天面板４及び連結片１０が商品Ｇの挿入を阻害することはなく、商品Ｇは箱内に誘導されるように挿入され、後面板３の傾斜により後面板３に沿って滑り、これに伴い底面板２側へ寄せられ、後側板７及び天面板４に規制されて揃えられた状態で、トレイ部分２１に収納される。
【００６５】
そして、商品Ｇの収納後、図１８（Ｉ）に示すように、連結片１０が内側へ折り曲げられ、押圧バーｃで連結片１０の反発が押さえられた状態で、前受板１が外側へ折り曲げられ、同図（II）に示すように、前受板１の裏面の接着部１３に接着剤ノズルａ２からホットメルト接着剤が吹き付けられる。その後、連結片１０の押圧バーｃによる押圧が解除され、同図（III）に示すように、前受板１が折り曲げられて、同図（IV）に示すように、連結片１０に圧着される。これにより、トレイ部分２１が完成する。
【００６６】
次に、同図（Ｖ）に示すように、前受板１の切取部１１の領域内における接着部１６に接着剤ノズルａ３からホットメルト接着剤が吹き付けられ、同図（VI）及び（VII）に示すように、前面板５が前受板１の方向へ折り曲げられて、トレイ部分２１に蓋部分２２が被せられ、切取部１１と前面板５とが圧着される。また、天側板８が吸盤ｄの吸着等により後側板７から一旦引き離される。これは、天側板８を前側板９の外側に重ね、流通過程での天面板４の落ち込みを後側板７及び前側板９で受け止めて防止するためである。
【００６７】
なお、この接着部１６での接着に際し、前面板５の前受板１に対する幅方向への位置ずれを防止するため、同図（VI）に示すように、垂直方向に延びるガイドバーｇに、前側板９の前受板１側の端縁に設けた切欠部を係合させつつ、前面板５を折り曲げるようにすることも考えられる。
【００６８】
次に、図１９（Ｉ）に示すように、前側板９の接着部１５に接着剤ノズルａ４からホットメルト接着剤が吹き付けられ、同図（II）に示すように、前側板９が折り曲げられて、前側板９と後側板７の先端同士が突き合わされる。その後、同図（III）に示すように、天側板８が後側板７及び前側板９の外面に重なるように折り曲げられて、前側板９と天側板８とが圧着され、蓋部分２２がトレイ部分２１に固定されることにより、同図（IV）に示すように、組み立てが完了する。
【００６９】
このように組み立てられた包装展示兼用箱は、同図（Ｖ）に示すように、天側板８が後側板７から浮き上がっているような接着不良があれば、プッシャーで押されて系外に排出され、そのような不良がなければ、同図（VI）に示すように、コンベヤにより良品の排出側へ搬送されて出荷される。
【００７０】
上記のような包装装置を使用して、食品パウチのような商品Ｇを包装すると、商品Ｇの包装作業を正確かつ高速に行うことができ、積み重ねた商品Ｇを、ほとんど隙間が生じないように整列させて包装展示兼用箱に収納できるので、効率よく包装して輸送できるほか、開封直後における展示状態での商品Ｇの前倒れ等が防止され、美観に優れた展示を行うことができる。
【符号の説明】
【００７１】
１  前受板
２  底面板
３  後面板
４  天面板
４ａ  山折線
４ｂ  谷折線
４ｃ  押込部
４ｄ，４ｅ  切目線
４ｆ  谷折線
５  前面板
６  底側板
７  後側板
８  天側板
８ａ  折目線
８ｂ  差込突起
９  前側板
１０  連結片
１１  切取部
１１ａ  切目線
１２  押込部
１２ａ  切目線
１３〜１７  接着部
１７ａ  接着弱化部
２１  トレイ部分
２２  蓋部分
Ｇ  商品
ａ１〜ａ４  接着剤ノズル
ｂ  保持具
ｃ  押圧バー
ｄ  吸盤
ｇ  ガイドバー
【図１】
2015107831.tif 000003
【図２】
2015107831.tif 000004
【図３】
2015107831.tif 000005
【図４】
2015107831.tif 000006
【図５】
2015107831.tif 000007
【図６】
2015107831.tif 000008
【図７】
2015107831.tif 000009
【図８】
2015107831.tif 000010
【図９】
2015107831.tif 000011
【図１０】
2015107831.tif 000012
【図１１】
2015107831.tif 000013
【図１２】
2015107831.tif 000014
【図１３】
2015107831.tif 000015
【図１４】
2015107831.tif 000016
【図１５】
2015107831.tif 000017
【図１６】
2015107831.tif 000018
【図１７】
2015107831.tif 000019
【図１８】
2015107831.tif 000020
【図１９】
2015107831.tif 000021
【図２０】
2015107831.tif 000022